(57)【要約】【課題】中詰材収容枠体を波形鋼板により構成することによって、高い強度が得られる結果、優れた安定性を有すると共に、中詰材の大きさや種類に制約されず、しかも、容易に構築することができることから構築費用が安価で済む土留め壁ブロック、この土留め壁ブロックにより構築された土留め壁、および、この土留め壁の構築方法を提供する。【解決手段】中詰材収容枠体１と、中詰材収容枠体１内に収容される中詰材２とからなる土留め壁ブロックにおいて、中詰材収容枠体１の前面枠３、背面枠４、左側面枠５および右側面枠６は、何れも波形鋼板により構成されている。【選択図】図１
2013217149.tif 000002
【特許請求の範囲】
【請求項１】
中詰材収容枠体と、前記中詰材収容枠体内に収容される中詰材とからなる土留め壁ブロックにおいて、前記中詰材収容枠体の少なくとも前面枠および背面枠は、波形鋼板により構成されていることを特徴とする土留め壁ブロック。
【請求項２】
前記中詰材収容枠体は、四角形状をなしていることを特徴とする、請求項１に記載の土留め壁ブロック。
【請求項３】
前記中詰材収容枠体の左側面枠および右側面枠は、波形鋼板により構成されていることを特徴とする、請求項２に記載の土留め壁ブロック。
【請求項４】
前記中詰材収容枠体は、蓋面枠および底面枠を有していないことを特徴とする、請求項１から３の何れか１つに記載の土留め壁ブロック。
【請求項５】
前記波形鋼板は、ライナープレートからなっていることを特徴とする、請求項１から４の何れか１つに記載の土留め壁ブロック。
【請求項６】
前記前面枠と前記背面枠との間には、補強材が張り渡されていることを特徴とする、請求項１から５の何れか１つに記載の土留め壁ブロック。
【請求項７】
前記補強材は、前記前面枠と前記背面枠の底面間を連結する底面連結材と、前記前面枠と前記背面枠の上下フランジ部間を対角線状に連結する斜材とからなっていることを特徴とする、請求項６に記載の土留め壁ブロック。
【請求項８】
前記中詰材は、石礫および土の少なくとも１つからなっていることを特徴とする、請求項１から７の何れか１つに記載の土留め壁ブロック。
【請求項９】
請求項１から８の何れか１つの土留め壁ブロックを上下多段に段積みしたものから構成されることを特徴とする土留め壁。
【請求項１０】
中詰材収容枠体内に中詰材を収容した複数個の土留め壁ブロックを上下多段に段積みして土留め壁を構築する土留め壁の構築方法であって、前記中詰材収容枠体の少なくとも前面枠および背面枠を波形鋼板により構成し、前記中詰材として、石礫および土の少なくとも１つを使用することを特徴とする、土留め壁の構築方法。
【請求項１１】
前記波形鋼板として、ライナープレートを使用することを特徴とする、請求項１０に記載の、土留め壁の構築方法。
【請求項１２】
中詰材収容枠体は、四角形状をなし、蓋面枠および底面枠を有していないことを特徴とする、請求項１０または１１に記載の、土留め壁の構築方法。
【請求項１３】
前記前面枠と前記背面枠との間に補強材を張り渡して、前記中詰材収容枠体を補強することを特徴とする、請求項１０から１２の何れか１つに記載の、土留め壁の構築方法。
【請求項１４】
前記補強材は、前記前面枠と前記背面枠の底面間を連結する底面連結材と、前記前面枠と前記背面枠の上下フランジ部間を対角線状に連結する斜材とからなっていることを特徴とする、請求項１３に記載の、土留め壁の構築方法。
【発明の詳細な説明】
【技術分野】
【０００１】
この発明は、土留め壁ブロック、土留め壁および土留め壁の構築方法、特に、中詰材収容枠体として波形鋼板を使用した土留め壁ブロック、この土留め壁ブロックにより構築された土留め壁、および、この土留め壁の構築方法に関するものである。
【背景技術】
【０００２】
従来、斜面地の崩壊を防ぐための土留め工の一つに、斜面地に沿って複数個の土留壁ブロックを段積みすることにより斜面地に構築される土留め壁が知られている。
【０００３】
上記土留め壁を構成する従来の土留め壁用ブロック（以下、土留め壁用ブロックＡという。）を、図面を参照しながら説明する。
【０００４】
図１１は、土留め壁ブロックＡを示す部分省略斜視図、図１２は、土留め壁ブロックＡにより構築された土留め壁を示す部分正面図、図１３は、土留め壁ブロックＡにより構築された土留め壁を示す断面図である。
【０００５】
図１１に示すように、土留め壁ブロックＡは、直方体状をなす中詰材収容枠体としての鉄筋籠２３と、鉄筋籠２３内に詰められた中詰材２４とから構成されている。中詰材収容枠体としての鉄筋籠２３は、棒鋼２１と平鋼２２とを格子状に組んだものからなっている。
【０００６】
中詰材２４は、通常、石礫であるが、土留め壁の構築現場の土を使用する場合もある。中詰材２４として土を使用する場合には、土が格子目から抜け出ないようにポリエチレンシート等を用い、さらに土留め壁ブロックＡの強度を高めるために、鉄筋籠２３内に土を投入した後、土を締め固める必要がある。また、土留め壁ブロックＡ内に土留め壁の背面（地山側）からの湧水を排水するための空間を形成するために、土の層と一緒に石礫の層を設けている。
【０００７】
中詰材２４としての石礫の大きさは、鉄筋籠２３の格子目から抜け出ない程度の大きさで、通常、１５０ｍｍから２００ｍｍ程度である。
【０００８】
上記土留め壁ブロックＡを使用した土留め壁は、図１２および図１３に示すように、複数個の土留め壁ブロックＡを連結杆２５により左右方向に連結しながら上下多段に段積みすることにより構築されている。
【０００９】
上記土留め壁は、中詰材２４の自重により斜面地の土圧に抵抗して、斜面地の崩壊を防ぐものであるので、土留め壁の強度は、中詰材２４の自重と上下多段に段積みした土留壁ブロックＡの安定性に依存する。
【発明の概要】
【発明が解決しようとする課題】
【００１０】
上述したように、複数個の土留め壁ブロックＡを連結杆２５により左右方向に連結しながら上下多段に段積みすることにより構築される土留め壁によれば、斜面地の崩壊を防ぐことはできるが、以下のような問題点があった。
【００１１】
（１）土留め壁ブロックＡを構成する鉄筋籠２３は、棒鋼２１と平鋼２２とを格子状に組んだものからなっているので、安価に製造することはできるものの、強度が低く、鉄筋籠２３内に詰められた中詰材２４としての石礫により鉄筋籠２３が変形するおそれがあった。鉄筋籠２３が変形すると、複数個の土留め壁ブロックＡを連結杆２５により左右方向に連結しながら上下多段に段積みするに際して、上下左右に隣接する土留め壁ブロックＡ同士を密着させることができない。この結果、土留め壁用ブロックＡの安定性に欠けるので、土留め壁の強度が低下する。
【００１２】
（２）中詰材２４としての石礫の大きさは、小さすぎても大きすぎても不適であり、上述のような大きさに制限されるので、石礫の入手にコストがかかり、土留め壁の構築費用が嵩む。本来ならば、土留め壁の構築現場で所定の大きさの石礫を入手できることが好ましいが、所定の大きさの石礫を選別する作業が必要であり、所定の大きさの石礫の入手が困難である場合には、他の場所から構築現場まで運搬する必要があり、この点からも土留め壁の構築費用が嵩む。
【００１３】
（３）土留め壁ブロックＡを上下多段に段積みすると、上下の鉄筋籠２３は、メタルタッチ（一般に鋼鉄と鋼鉄のすべり摩擦係数はμ＝０．１５）で段積みされることになるので、上下の鉄筋籠２３は、極めて滑りやすくなる。この結果、土留め壁ブロックＡの安定性に欠け、この点からも、土留め壁の強度が低下する。
【００１４】
（４）中詰材２４として土を使用する場合には、上述のように、土留め壁ブロックＡの強度を高めるために、鉄筋籠２３内に土を投入した後、締め固める必要があるので、この作業分だけ工数が増え、土留め壁の構築費用が嵩む。
【００１５】
（５）中詰材２４として土を使用する場合には、鉄筋籠２３からの土の流出を防止するために、鉄筋籠２３の内側をポリエチレンシート等によって覆う必要があるので、土留め壁の構築作業が煩雑になる。
【００１６】
従って、この発明の目的は、優れた安定性を有し、中詰材の大きさや種類に制約されず、しかも、容易に構築することができることから構築費用が安価で済む土留め壁ブロック、土留め壁および土留め壁の構築方法を提供することにある。
【課題を解決するための手段】
【００１７】
本願発明者等は、上記問題点を解消すべく、鋭意、検討を重ねた結果、中詰材収容枠体を波形鋼板により構成すれば、高い強度が得られる結果、優れた安定性を有すると共に、中詰材の大きさや種類に制約されず、しかも、容易に構築することができることから構築費用が安価で済む土留め壁ブロック、この土留め壁ブロックにより構築された土留め壁、および、この土留め壁の構築方法を提供することができるといった知見を得た。
【００１８】
また、上記効果は、波形鋼板としてライナープレートを使用することによって、さらに向上するといった知見を得た。
【００１９】
この発明は、上記知見に基づきなされたものであって、下記を特徴とする。
【００２０】
請求項１に記載の発明は、中詰材収容枠体と、前記中詰材収容枠体内に収容される中詰材とからなる土留め壁ブロックにおいて、前記中詰材収容枠体の少なくとも前面枠および背面枠は、波形鋼板により構成されていることに特徴を有するものである。
【００２１】
請求項２に記載の発明は、請求項１に記載の発明において、前記中詰材収容枠体は、四角形状をなしていることに特徴を有するものである。
【００２２】
請求項３に記載の発明は、請求項２に記載の発明において、前記中詰材収容枠体の左側面枠および右側面枠は、波形鋼板により構成されていることに特徴を有するものである。
【００２３】
請求項４に記載の発明は、請求項１から３の何れか１つに記載の発明において、前記中詰材収容枠体は、蓋面枠および底面枠を有していないことに特徴を有するものである。
【００２４】
請求項５に記載の発明は、請求項１から４の何れか１つに記載の発明において、前記波形鋼板は、ライナープレートからなっていることに特徴を有するものである。
【００２５】
請求項６に記載の発明は、請求項１から５の何れか１つに記載の発明において、前記前面枠と前記背面枠との間には、補強材が張り渡されていることに特徴を有するものである。
【００２６】
請求項７に記載の発明は、請求項６に記載の発明において、前記補強材は、前記前面枠と前記背面枠の底面間を連結する底面連結材と、前記前面枠と前記背面枠の上下フランジ部間を対角線状に連結する斜材とからなっていることに特徴を有するものである。
【００２７】
請求項８に記載の発明は、請求項１から７の何れか１つに記載の発明において、前記中詰材は、石礫および土の少なくとも１つからなっていることに特徴を有するものである。
【００２８】
請求項９に記載の発明は、請求項１から８の何れか１つの土留め壁ブロックを上下多段に段積みしたものから構成されることに特徴を有するものである。
【００２９】
請求項１０に記載の発明は、中詰材収容枠体内に中詰材を収容した複数個の土留め壁ブロックを上下多段に段積みして土留め壁を構築する土留め壁の構築方法であって、前記中詰材収容枠体の少なくとも前面枠および背面枠を波形鋼板により構成し、前記中詰材として、石礫および土の少なくとも１つを使用することに特徴を有するものである。
【００３０】
請求項１１に記載の発明は、請求項１０に記載の発明において、前記波形鋼板として、ライナープレートを使用することに特徴を有するものである。
【００３１】
請求項１２に記載の発明は、請求項１０または１１に記載の発明において、中詰材収容枠体は、四角形状をなし、蓋面枠および底面枠を有していないことに特徴を有するものである。
【００３２】
請求項１３に記載の発明は、請求項１０から１２の何れか１つに記載の発明において、前記前面枠と前記背面枠との間に補強材を張り渡して、前記中詰材収容枠体を補強することに特徴を有するものである。
【００３３】
請求項１４に記載の発明は、請求項１３に記載の発明において、前記補強材は、前記前面枠と前記背面枠の底面間を連結する底面連結材と、前記前面枠と前記背面枠の上下フランジ部間を対角線状に連結する斜材とからなっていることに特徴を有するものである。
【発明の効果】
【００３４】
この発明によれば、中詰材収容枠体を波形鋼板により構成することによって、高い強度が得られる結果、優れた安定性を有すると共に、中詰材の大きさや種類に制約されず、しかも、容易に構築することができることから構築費用が安価で済む土留め壁ブロック、この土留め壁ブロックにより構築された土留め壁、および、この土留め壁の構築方法を提供することができる。
【００３５】
また、上記効果は、波形鋼板としてライナープレートを使用することによって、さらに向上する。
【図面の簡単な説明】
【００３６】
【図１】この発明の土留め壁ブロック（土留め壁用ブロックＢ）を示す斜視図である。
【図２】この発明の土留め壁ブロック（土留め壁用ブロックＢ）を示す正面図である。
【図３】この発明の土留め壁ブロック（土留め壁用ブロックＢ）を示す平面図である。
【図４】この発明の土留め壁ブロック（土留め壁用ブロックＢ）を示す底面図である。
【図５】この発明の土留め壁ブロック（土留め壁用ブロックＢ）を示す側面である。
【図６】図３のＸ−Ｘ線断面図である。
【図７】図３のＹ−Ｙ線断面図である。
【図８】この発明の他の土留め壁ブロックを示す斜視図である。
【図９】この発明の土留め壁を示す正面図である。
【図１０】この発明の土留め壁を示す断面図である。
【図１１】従来の土留め壁ブロック（土留め壁ブロックＡ）を示す部分省略斜視図である。
【図１２】従来の土留め壁ブロック（土留め壁ブロックＡ）により構築された土留め壁を示す部分正面図である。
【図１３】従来の土留め壁ブロック（土留め壁ブロックＡ）により構築された土留め壁を示す断面図である。
【発明を実施するための形態】
【００３７】
この発明の土留め壁ブロック（以下、土留め壁用ブロックＢという。）の一実施態様を、図面を参照しながら説明する。
【００３８】
図１は、土留め壁用ブロックＢを示す斜視図、図２は、土留め壁用ブロックＢを示す正面図、図３は、土留め壁ブロックＢを示す平面図、図４は、土留め壁用ブロックＢを示す底面図、図５は、土留め壁用ブロックＢを示す側面、図６は、図３のＸ−Ｘ線断面図、図７は、図３のＹ−Ｙ線断面図である。
【００３９】
図１から図７に示すように、土留め壁用ブロックＢは、中詰材収容枠体１と中詰材収容枠体１内に収容される中詰材２とからなっている。
【００４０】
中詰材収容枠体１は、何れもライナープレートからなる前面枠３、背面枠４、左側面枠５および右側面枠６を四角形状に連結したものからなっている。中詰材収容枠体１の長さは、基本となるライナープレートの連結枚数を調整することにより自在に変えることができる。
【００４１】
ライナープレートは、薄肉鋼板に波付け加工を施して波形鋼板を形成し、この波形鋼板の４辺にフランジ７（図１参照）を有した構造部材であり、仮設用土留材、集水井戸、横坑等として広く使用されている。ライナープレートは、フランジ７に形成されたボルト孔８（図１参照）にボルト（図示せず）を挿通することにより上下左右に連結することができる。
【００４２】
ライナープレートは、軽量であり、波付け加工を施しているため強度が高く、施工性に優れ、耐食性に富む等の特徴を有し、円弧状、直線状等の形状のものがある。この例では、直線状のライナープレートを使用する。
【００４３】
中詰材収容枠体１をライナープレートにより構成することによって、中詰材収容枠体１の強度は、後述する補強材による補強効果と相俟って格段に向上するので、蓋面枠および底面枠がなくても自立可能となる。従って、土留め壁用ブロックＢを上下多段に段積みした際に、鉄筋籠同士が重なることはない。すなわち、上下の土留め壁用ブロックＢは、メタルタッチで段積みされることはない。この結果、上下の中詰材収容枠体１内の石礫同士の噛み合い効果と相俟って、極めて滑りにくくなるので（一般に石礫のすべり摩擦係数はμ＝０．６）、土留め壁ブロックＢの安定性が向上し、この結果、土留め壁の強度が向上する。
【００４４】
また、中詰材収容枠体１は、蓋面枠および底面枠を有していないので、下段の中詰材収容枠体１内に中詰材２が目一杯、詰められなくても、その上に段積みされる上段の中詰材収容枠体１内に中詰材２を詰める際に、中詰材２の一部が下段の中詰材収容枠体１内に入り込む。この結果、下段の中詰材収容枠体１内に中詰材２の詰め量不足による空間は生じない。この点からも土留め壁ブロックＢの安定性が向上する。
【００４５】
また、中詰材２としての石礫の投入等により中詰材収容枠体１が変形するおそれがないので、複数個の土留め壁ブロックＢを上下多段に段積みして土留め壁を構築するに際して、上下に隣接する土留め壁ブロックＢ同士が密着する。この結果、土留め壁用ブロックＢの安定性は、格段に向上する。
【００４６】
なお、中詰材収容枠体１の左右側面が土留め壁の構築現場の地山と接する場合には、図８に示すように、左側面枠５および右側面枠６は、必ずしも設けなくても良い。なお、図８には、地山の表現は省略した。
【００４７】
前面枠３と背面枠４との間には、補強材が張り渡され、中詰材収容枠体１内に中詰材２を詰めたときに中詰材収容枠体１が変形することを防止している。補強材は、前面枠３と背面枠４の底面間を連結する底面連結材９と、前面枠３と背面枠４のコーナー部間を対角線状に連結する斜材１０とからなっている。中詰材収容枠体１を補強材により補強することによって、中詰材収容枠体１の強度は、向上する。なお、中詰材収容枠体１をライナープレートにより構成した場合、上下フランジ部間７に斜材１０を連結することができるので、中詰材収容枠体１の強度が格段に向上する。
【００４８】
土留め壁ブロックＢは、予め製造された前面枠３、背面枠４、左側面枠５および右側面枠６を四角形状に連結したものから構成されているので、運搬や構築が容易に行える。しかも、基本のライナープレートをフランジ結合することによって、土留め壁ブロックＢの長さや段積み高さを自由に調整することができるので、土留め壁の構築現場に容易に対応することができる。
【００４９】
中詰材２は、石礫および土の少なくとも１つからなっている。なお、石礫には、瓦礫等が含まれ、土には、従来、中詰材として不適であった粘性土、腐葉土混じりの土、礫混じりの土等が含まれる。中詰材２として石礫を用いる場合、石礫の大きさに特に制約はない。これは、中詰材収容枠体１がライナープレートにより構築されているので、鉄筋籠のように格子目からこぼれ落ちるおそれがないからである。石礫の大きさに特に制約されないので、土留め壁の構築現場の石礫を、その大きさを大幅に調整することなくそのまま使用することができる。従って、土留め壁の構築費用を大幅に削減することができる。
【００５０】
中詰材２として土を使用する場合には、中詰材収容枠体１の強度が高いので、土を投入した後、特に、締め固める必要はない。また、中詰材収容枠体１から土が流出するおそれはないので、中詰材収容枠体１の内側をポリエチレンシート等によって覆う必要はない。これらの点からも、土留め壁の構築費用を削減することができる。なお、中詰材２として土を使用する場合には、後述する通水性を考慮して、中詰材２の一部に石礫を使用しても良い。
【００５１】
土留め壁の構築現場が湧水地であり、土留め壁用ブロックＢの通水性が特に問題となる場合には、中詰材収容枠体１に通水口（図示せず）を形成すれば良い。中詰材収容枠体１を構成する前面枠３、背面枠４、左側面枠５および右側面枠６に形成する通水口の大きさや数を変えることによって、前面枠３、背面枠４、左側面枠５および右側面枠６から流出する水量を自在に調整することができる。例えば、道路側面の土留め工において、道路側への過度な排水を避けるため、道路側の水量を少なくする場合には、背面枠４の通水口の大きさや数を前面枠３の通水口の大きさや数に比べて小さくし、地山側に別途、排水対策（図示せず）を行うことにより、道路側へ排水される水量を調整することができる。
【００５２】
次に、土留め壁用ブロックＢによる土留め壁の構築方法を、図面を参照しながら説明する。
【００５３】
図９は、この発明の土留め壁を示す正面図、図１０は、この発明の土留め壁を示す断面図である。
【００５４】
この発明の土留め壁を斜面地に構築するには、構築現場の地山を整地した後、図９および図１０に示すように、下段から順次、土留め壁用ブロックＢを、地山（Ｇ）と土留め壁用ブロックＢとの間に土砂等の裏込め材を充填しながら段積みして行く。すなわち、中詰材収容枠体１を設置した後、中詰材収容枠体１内に中詰材２を詰めて最下段の土留め壁用ブロックＢを構築する。この後、裏込め作業を行ない、その最下段の土留め壁用ブロックＢの上に新たな中詰材収容枠体１を載せ、中詰材２を詰めて２段目の土留め壁用ブロックＢを構築する。この操作を繰り返し行って、複数個（この例では４個）の土留め壁用ブロックＢを段積みする。
【００５５】
土留め壁用ブロックＢの長さは、一般的に上段になるにつれて長くなるので、土留め壁用ブロックＢの長さをライナープレートの結合枚数を増やすことにより調整する。この例では、最下段の土留め壁用ブロックＢは、ライナープレートを２枚連結したものからなり、２段目は、３枚、３段目は、４枚、そして、最上段は、５枚連結したものからなっている。ライナープレートの結合は、フランジ７同士をボルト結合することにより容易に行える。
【００５６】
上記例は、中詰材収容枠体をライナープレートにより構成した場合であるが、コルゲート鋼板等の他の波形鋼板により構成しても良い。
【００５７】
以上、説明したように、この発明によれば、以下のような効果がもたらされる。
【００５８】
（１）中詰材収容枠体１をライナープレート等の波形鋼板により構成することにより、中詰材収容枠体１の強度が向上するので、中詰材収容枠体１に蓋面枠および底面枠を設ける必要がない。この結果、土留め壁用ブロックＢ同士がメタルタッチで段積みされることはないので、上下の中詰材収容枠体１内の石礫同士の噛み合い効果と相俟って、極めて滑りにくくなる。なお、中詰材収容枠体１の強度の向上効果は、補強材によりさらに向上する。これによって、土留め壁ブロックＢの安定性が向上し、この結果、土留め壁の強度が向上する。
【００５９】
（２）中詰材収容枠体１に蓋面枠および底面枠を設ける必要がないことから、中詰材収容枠体１内に中詰材２の詰め量不足による空間は生じないので、この点からも、土留め壁ブロックＢの安定性が向上する。
【００６０】
（３）中詰材収容枠体１の変形を防止することができるので、土留め壁用ブロックＢを上下多段に段積みした際に、隣接する土留め壁ブロックＢ同士が密着する。この点からも、土留め壁用ブロックＢの安定性が向上する。
【００６１】
（３）中詰材収容枠体１をライナープレートにより構成した場合、基本のライナープレートの結合枚数を調整することによって、土留め壁ブロックＢの長さや段積み高さを自由に調整することができるので、土留め壁の構築現場に容易に対応することができる。
【００６２】
（４）中詰材収容枠体１を波形鋼板により構成することにより、中詰材２の大きさや種類に制約がなくなるので、土留め壁の構築費用を大幅に削減することができる。また、中詰材２として土を使用する場合には、締め固め作業が不要となる。しかも中詰材収容枠体１の内側をポリエチレンシート等によって覆う必要がなくなるので、これらの点からも、土留め壁の構築費用を削減することができる。
【符号の説明】
【００６３】
Ａ：従来の土留め壁用ブロック
Ｂ：この発明の土留め壁用ブロック
１：中詰材収容枠体
２：中詰材
３：前面枠
４：背面枠
５：左側面枠
６：右側面枠
７：フランジ
８：ボルト孔
９：底面連結材
８：ボルト孔
１０：斜材
１１：裏込め材
２１：棒鋼
２２：平鋼
２３：鉄筋籠
２４：中詰材
２５：連結杆
【図１】
2013217149.tif 000003
【図２】
2013217149.tif 000004
【図３】
2013217149.tif 000005
【図４】
2013217149.tif 000006
【図５】
2013217149.tif 000007
【図６】
2013217149.tif 000008
【図７】
2013217149.tif 000009
【図８】
2013217149.tif 000010
【図９】
2013217149.tif 000011
【図１０】
2013217149.tif 000012
【図１１】
2013217149.tif 000013
【図１２】
2013217149.tif 000014
【図１３】
2013217149.tif 000015